(57)【要約】  軽く、長寿命で、実効光度が高く、光度の切替が可能で、消費電力が小さく、かつ、放熱性に優れた、新たな滑走路埋込型閃光装置を提供する。  本発明の滑走路埋込型閃光装置（１）は、筒状本体（１０）、天井部材（１１）、導光部材（１２）、ＬＥＤ閃光光源（１３）、及び、熱伝導部材（１７）を含み、筒状本体（１０）は、滑走路に埋込可能であり、天井部材（１１）は、筒状本体（１０）が滑走路に埋め込まれた場合に、滑走路面に露出可能な状態で筒状本体（１０）の上部開口部に、配置され、天井部材（１１）には、閃光照射用窓が設けられ、導光部材（１２）は、前記閃光照射用窓に配置され、ＬＥＤ閃光光源（１３）は、前記閃光照射用窓に配置された導光部材（１２）に向けて閃光照射可能な状態で、筒状本体（１０）内に配置され、導光部材（１２）により、ＬＥＤ閃光光源（１３）から照射された閃光が、前記閃光照射用窓から外部に向けて照射可能であり、熱伝導部材（１７）は、筒状本体（１０）内に配置され、熱伝導部材（１７）の一部分は、ＬＥＤ閃光光源（１３）と接触し、熱伝導部材（１７）のその他部分の少なくとも一部が、天井部材（１１）に接触している。
2020084880.tif 000002
【特許請求の範囲】
【請求項１】
筒状本体、天井部材、導光部材、ＬＥＤ閃光光源、及び、熱伝導部材を含み、
前記筒状本体は、滑走路に埋込可能であり、
前記天井部材は、前記筒状本体が滑走路に埋め込まれた場合に、滑走路面に露出可能な状態で前記筒状本体の上部開口部に、配置され、
前記天井部材には、閃光照射用窓が設けられ、
前記導光部材は、前記閃光照射用窓に配置され、
前記ＬＥＤ閃光光源は、前記閃光照射用窓に配置された前記導光部材に向けて閃光照射可能な状態で、前記筒状本体内に配置され、
前記導光部材により、前記ＬＥＤ閃光光源から照射された閃光が、前記閃光照射用窓から外部に向けて照射可能であり、
前記熱伝導部材は、前記筒状本体内に配置され、
前記熱伝導部材の一部分は、前記ＬＥＤ閃光光源と接触し、
前記熱伝導部材のその他部分の少なくとも一部が、前記天井部材に接触している
滑走路埋込型閃光装置。
【請求項２】
前記熱伝導部材のその他部分の少なくとも一部が、前記天井部材において、前記閃光照射用窓よりも閃光照射側に接触している
請求項１記載の滑走路埋込型閃光装置。
【請求項３】
前記ＬＥＤ閃光光源は、基板、ＬＥＤ、及び、レンズ部材を含み、
前記基板上に前記ＬＥＤが配置され、
前記ＬＥＤの上部に前記レンズ部材が配置され、
前記レンズ部材は、前記ＬＥＤから照射される閃光の照射面を均一な照度分布にするレンズ部材であり、
前記熱伝導部材の一部分は、前記基板の前記ＬＥＤ搭載側と反対側の面に接触している
請求項１又は２記載の滑走路埋込型閃光装置。
【請求項４】
前記天井部材は、上段天井部及び下段天井部を含み、
前記上段天井部は、前記閃光照射用窓の照射方向より後方側に配置され、
前記下段天井部は、前記閃光照射用窓の照射方向側に配置されており、
前記熱伝導部材のその他部分の少なくとも一部が、前記下段天井部に接触している
請求項１から３のいずれか一項に記載の滑走路埋込型閃光装置。
【請求項５】
前記熱伝導部材は、板状ヒートシンク及びヒートパイプの少なくとも一方を含む
請求項１から４のいずれか一項に記載の滑走路埋込型閃光装置。
【請求項６】
前記熱伝導部材は、板状ヒートシンク及びヒートパイプを含み、
前記板状ヒートシンクの一面の一部分が、前記ＬＥＤ閃光光源と接触し、
前記板状ヒートシンクの一面のその他部分の少なくとも一部が、前記下段天井部と接触し、
前記ヒートパイプは、その一端側が前記ＬＥＤ閃光光源側に位置し、かつ、その他端側が前記下段天井部側に位置する状態で、前記板状ヒートシンクに取付けられている
請求項５記載の滑走路埋込型閃光装置。
【請求項７】
前記ヒートパイプは、照射方向に対し垂直方向に延びる第１の直線部と、照射方向に延びる第２の直線部を有し、前記第１の直線部と前記第２の直線部が結合して全体形状がＬ字状になっており、前記一端側が前記第１の直線部を含み、前記他端側が前記第２の直線部を含む
請求項６記載の滑走路埋込型閃光装置。
【請求項８】
さらに、固定部材を含み、
前記固定部材は、前記天井部材の外周部に配置され、
前記固定部材には、前記滑走路に固定するためのネジを通すネジ穴が設けられている
請求項１から７のいずれか一項に記載の滑走路埋込型閃光装置。
【請求項９】
請求項１から８のいずれか一項に記載の滑走路埋込型閃光装置に用いられる熱伝導部材。
【請求項１０】
板状ヒートシンク及びヒートパイプの少なくとも一方を含む
請求項９記載の熱伝導部材。
【発明の詳細な説明】
【技術分野】
【０００１】
本発明は、滑走路埋込型閃光装置及び熱伝導部材に関する。
【背景技術】
【０００２】
従来から、航空用の滑走路の案内標識として、標識光を照射する標識灯が路面下に埋設されている（例えば、特許文献１参照）。この路面下に埋設される埋込型標識灯には、閃光光源として、キセノンを封入した放電ランプが用いられることがある。
【先行技術文献】
【特許文献】
【０００３】
【特許文献１】特開２０００−２２８１０３号公報
【発明の概要】
【発明が解決しようとする課題】
【０００４】
しかしながら、キセノン閃光光源を用いた閃光装置は、重たく、短寿命で、実効光度が低く、高光度・中光度・低光度等の光度の切替ができず、消費電力が大きいという問題がある。また、滑走路埋込型閃光装置は、閃光光源が発した熱の放熱性に優れることが求められる。【０００５】
そこで、本発明は、軽く、長寿命で、実効光度が高く、光度の切替が可能で、消費電力が小さく、かつ、放熱性に優れた新たな滑走路埋込型閃光装置の提供を目的とする。
【課題を解決するための手段】
【０００６】
前記目的を達成するために、本発明の滑走路埋込型閃光装置は、
筒状本体、天井部材、導光部材、ＬＥＤ閃光光源、及び、熱伝導部材を含み、
前記筒状本体は、滑走路に埋込可能であり、
前記天井部材は、前記筒状本体が滑走路に埋め込まれた場合に、滑走路面に露出可能な状態で前記筒状本体の上部開口部に、配置され、
前記天井部材には、閃光照射用窓が設けられ、
前記導光部材は、前記閃光照射用窓に配置され、
前記ＬＥＤ閃光光源は、前記閃光照射用窓に配置された前記導光部材に向けて閃光照射可能な状態で、前記筒状本体内に配置され、
前記導光部材により、前記ＬＥＤ閃光光源から照射された閃光が、前記閃光照射用窓から外部に向けて照射可能であり、
前記熱伝導部材は、前記筒状本体内に配置され、
前記熱伝導部材の一部分は、前記ＬＥＤ閃光光源と接触し、
前記熱伝導部材のその他部分の少なくとも一部が、前記天井部材に接触している
ことを特徴とする。
【発明の効果】
【０００７】
本発明の滑走路埋込型閃光装置は、軽く、長寿命で、実効光度が高く、光度の切替が可能で、消費電力が小さく、かつ、放熱性に優れる。
【図面の簡単な説明】
【０００８】
【図１】図１は、実施形態１の滑走路埋込型閃光装置の一例の構成を示す分解斜視図である。
【図２】図２は、実施形態１の滑走路埋込型閃光装置における筒状本体及び天井部材の一例を示す上方向からの斜視図である。
【図３】図３は、実施形態１の滑走路埋込型閃光装置における筒状本体及び天井部材の一例を示す下方向からの斜視図である。
【図４】図４は、実施形態１の滑走路埋込型閃光装置における筒状本体、天井部材及び熱伝導部材の一例を示す下方向からの斜視図である。
【図５】図５は、実施形態１の滑走路埋込型閃光装置におけるＬＥＤ閃光光源の一例を示す部分拡大斜視図である。
【図６】図６は、実施形態１の滑走路埋込型閃光装置におけるＬＥＤ閃光光源の一例を示す断面図である。
【図７】図７は、実施形態２の滑走路埋込型閃光装置の一例の構成を示す分解斜視図である。
【図８】図８は、図７に示す滑走路埋込型閃光装置の下方向からの斜視図である。
【図９】図９は、実施形態２の滑走路埋込型閃光装置における底蓋部材の一例を示す側面図である。
【図１０】図１０は、実施形態４の滑走路の一例の構成を示す模式斜視図である。
【図１１】図１１は、実施形態１の滑走路埋込型閃光装置における閃光照射について説明する模式側面図である。
【図１２】図１２は、図１１に示す滑走路埋込型閃光装置の内部における導光部材及びＬＥＤ閃光光源の一例を示す側面図である。
【発明を実施するための形態】
【０００９】
つぎに、本発明の実施形態について、図１から図１２を用いて説明する。本発明は、下記の実施形態によって何ら限定及び制限されない。なお、図１から図１２において、同一部分には、同一符号を付している。各実施形態の説明は、それぞれ、互いを援用できる。また、図面においては、説明の便宜上、各部の構造は適宜簡略化して示す部分があり、各部の寸法比等は、実際とは異なり、模式的に示す場合がある。
【００１０】
［実施形態１］
図１は、本実施形態の滑走路埋込型閃光装置の一例の構成を示す分解斜視図である。図１に示すように、滑走路埋込型閃光装置１は、筒状本体１０、天井部材１１、導光部材１２、ＬＥＤ閃光光源１３、及び、熱伝導部材１７を含む。
【００１１】
筒状本体１０は、実施形態４において図１０を用いて後述するように、滑走路２に埋込可能である。筒状本体１０は、例えば、図１に示すように、円筒であってもよいし、楕円筒、角筒等の円筒以外の筒状であってもよい。
【００１２】
天井部材１１は、筒状本体１０が滑走路２に埋め込まれた場合に、滑走路面に露出可能な状態で筒状本体１０の上部開口部に、配置される。
【００１３】
筒状本体１０及び天井部材１１は、図１に示すように、別個独立の部材であってもよいし、図２に示すように、一体成型品であってもよい。前記一体成型品は、例えば、アルミニウムの鋳物、チタンの鋳物、アルミニウム合金の鋳物、チタン合金の鋳物等があげられ、軽量であることから、アルミニウムの鋳物、チタンの鋳物が好ましく、安価であることから、アルミニウムの鋳物が特に好ましい。筒状本体１０及び天井部材１１が別部材である場合も、筒状本体１０及び天井部材１１としては、前記一体成型品である場合と同様に、例えば、アルミニウムの鋳物、チタンの鋳物、アルミニウム合金の鋳物、チタン合金の鋳物等があげられる。
【００１４】
天井部材１１には、閃光照射用窓が設けられ、導光部材１２は、前記閃光照射用窓に配置されている。本実施形態の滑走路埋込型閃光装置１において、例えば、前記閃光照射用窓は、２個以上であり、それぞれの前記閃光照射用窓に導光部材１２が配置されていてもよい。導光部材１２を２個以上とすれば、導光部材１２への負荷をより軽減し、破損を防止し得る。前記閃光照射用窓及び導光部材１２は、例えば、図１に示すように、後述の補強板部材１４によって、２個以上に分割されていてもよい。導光部材１２としては、例えば、プリズムレンズ等があげられる。前記プリズムレンズの材質は、特に制限されないが、例えば、ガラス等である。
【００１５】
天井部材１１は、例えば、上段天井部１１ａ及び下段天井部１１ｂを含み、上段天井部１１ａが、前記閃光照射用窓の照射方向より後方側に配置され、下段天井部１１ｂが、前記閃光照射用窓の照射方向側に配置された段差構造となっていてもよい。
【００１６】
本実施形態の滑走路埋込型閃光装置１は、例えば、さらに、補強板部材１４を含み、補強板部材１４は、下段天井部１１ｂ外面において、下段天井部１１ｂ外面の垂直方向に起立した状態で配置されていてもよい。天井部材１１及び補強板部材１４は、例えば、別個独立の部材であってもよいし、一体成型品であってもよい。天井部材１１及び補強板部材１４が別部材である場合、補強板部材１４としては、前記一体成型品である場合と同様に、例えば、アルミニウムの鋳物、チタンの鋳物、アルミニウム合金の鋳物、チタン合金の鋳物等があげられる。
【００１７】
本実施形態の滑走路埋込型閃光装置１は、例えば、さらに、固定部材１５を含み、固定部材１５は、天井部材１１の外周側に配置され、固定部材１５には、滑走路２に固定するためのネジを通すネジ穴が設けられていてもよい。固定部材１５は、例えば、外周側に向かって厚みが薄くなるように外面が傾斜したテーパ―状であってもよい。天井部材１１及び固定部材１５は、例えば、別個独立の部材であってもよいし、一体成型品であってもよい。天井部材１１及び固定部材１５が別部材である場合、固定部材１５としては、前記一体成型品である場合と同様に、例えば、アルミニウムの鋳物、チタンの鋳物、アルミニウム合金の鋳物、チタン合金の鋳物等があげられる。天井部材１１及び固定部材１５の少なくとも一方は、例えば、工具により滑走路埋込型閃光装置１を引き上げるための穴を有してもよい。
【００１８】
ＬＥＤ閃光光源１３は、前記閃光照射用窓に配置された導光部材１２に向けて閃光照射可能な状態で、筒状本体１０内に配置される。図３に、筒状本体１０及び天井部材１１の一例の下方向からの斜視図を示す。例えば、図３に示すように、天井部材１１の内面（筒状本体１０側の面）には、前記閃光照射用窓の下部部分に、ＬＥＤ閃光光源１３の配置部分が設けられていてもよい。導光部材１２により、ＬＥＤ閃光光源１３から照射された閃光が、前記閃光照射用窓から外部に向けて照射可能である。
【００１９】
ＬＥＤ閃光光源１３としては、例えば、ＬＥＤモジュール等があげられる。ＬＥＤ閃光光源１３は、例えば、図１に示すように、基板１３ａ及びＬＥＤ１３ｂを含み、基板１３ａ上にＬＥＤ１３ｂが配置されている。図１に示す例では、ＬＥＤ閃光光源１３の数を２個としているが、ＬＥＤ閃光光源１３は、１個であってもよいし、３個以上であってもよい。
【００２０】
基板１３ａにおけるＬＥＤ１３ｂの搭載条件は、特に制限されず、目的の光学的特性に応じて適宜設定できる。図１には、４×９＝３６個の行列が２つで７２個のＬＥＤ１３ｂが基板１３ａに搭載された例を示している。
【００２１】
ＬＥＤ１３ｂの形状は、特に制限されず、一般的に、正方形又は長方形である。ＬＥＤ１３ｂの大きさは、特に制限されず、正方形の場合、一辺の長さは、例えば、１．８〜２．２ｍｍ、３〜３．５ｍｍ、４〜５．３ｍｍであり、長方形の場合、短辺の長さは、例えば、前記正方形の長さと同様であり、短辺と長辺との比は、例えば、１：１〜３である。基板１３ａのＬＥＤ１３ｂの搭載面において、隣り合うＬＥＤとＬＥＤとの間の幅は、例えば、０．２〜０．５ｍｍである。
【００２２】
ＬＥＤ閃光光源１３は、例えば、図５の部分拡大斜視図及び図６の断面図に示すように、レンズ部材１３ｃを含み、ＬＥＤ１３ｂの上部にレンズ部材１３ｃが配置され、レンズ部材１３ｃは、ＬＥＤ１３ｂから照射される閃光の照射面を均一な照度分布とするレンズ部材であってもよい。レンズ部材１３ｃとしては、例えば、フライアイレンズ、インテグレータレンズ等があげられる。例えば、図６に示すように、レンズ部材１３ｃが大きくなりすぎないように２個又はそれ以上に分けることで、レンズ部材１３ｃへの負荷をより軽減し、破損を防止し得る。レンズ部材１３ｃは、照射された閃光の取り出しにロスが生じないよう、小さくしすぎないことが好ましい。
【００２３】
熱伝導部材１７は、筒状本体１０内に配置され、熱伝導部材１７の一部分は、ＬＥＤ閃光光源１３と接触し、熱伝導部材１７のその他部分の少なくとも一部が、天井部材１１に接触している。これにより、ＬＥＤ閃光光源１３が発した熱を、熱伝導部材１７を介して天井部材１１へと伝え、装置１外部へと放熱することが可能である。本実施形態の滑走路埋込型閃光装置１によれば、装置１内部で放熱するよりも、放熱性に優れる。
【００２４】
熱伝導部材１７の一部分は、例えば、図１に示すように、基板１３ａのＬＥＤ１３ｂ搭載側と反対側の面に接触している。熱伝導部材１７のその他部分は、その少なくとも一部が、天井部材１１と接触していればよく、天井部材１１のどの部分に接触していてもよい。例えば、図１に示すように、熱伝導部材１７のその他部分の少なくとも一部が、天井部材１１において、前記閃光照射用窓よりも閃光照射側に接触していてもよい。この態様においては、例えば、熱伝導部材１７のその他部分の少なくとも一部は、下段天井部１１ｂに接触していてもよい。図１に例示する態様であれば、ＬＥＤ閃光光源１３が発した熱を、熱伝導部材１７を介して前記閃光照射用窓よりも閃光照射側に伝えることができ、例えば、寒冷地の航空用滑走路において、閃光照射を遮る積もった雪を解かすことができる。例えば、図３に示すように、天井部材１１の内面（筒状本体１０側の面）には、前述のＬＥＤ閃光光源１３の配置部分に加え、熱伝導部材１７の配置部分が設けられていてもよい。
【００２５】
熱伝導部材１７としては、例えば、板状ヒートシンク、ヒートパイプ等があげられ、自作してもよいし、市販品を用いてもよい。前記板状ヒートシンクの材質としては、例えば、銅、アルミニウム等があげられる。前記ヒートパイプの材質は、特に制限されず、公知の熱伝導素材があげられ、具体例として、金属等があげられる。前記金属は、例えば、アルミニウム及びその合金、マグネシウム及びその合金、鉄及びその合金、銅及びその合金、チタン及びその合金、モリブデン及びその合金、タングステン及びその合金等があげられる。図４は、本実施形態の滑走路埋込型閃光装置における筒状本体、天井部材及び熱伝導部材の一例を示す下方向からの斜視図である。熱伝導部材１７は、例えば、板状ヒートシンク１７ａ及びヒートパイプ１７ｂを含み、板状ヒートシンク１７ａの一面の一部分が、ＬＥＤ閃光光源１３と接触し、板状ヒートシンク１７ａの一面のその他部分の少なくとも一部が、下段天井部１１ｂと接触し、ヒートパイプ１７ｂは、その一端側がＬＥＤ閃光光源１３側に位置し、かつ、その他端側が下段天井部１１ｂ側に位置する状態で、板状ヒートシンク１７ａに取付けられていてもよい。なお、図４には、ヒートパイプ１７ｂが、板状ヒートシンク１７ａの他面（ＬＥＤ閃光光源１３と接触する面（一面）と反対側の面）に取付けられている例を示したが、ヒートパイプ１７ｂは、板状ヒートシンク１７ａの一面に取付けられていてもよく、板状ヒートシンク１７ｂの他面及び一面の双方に取付けられていてもよい。図４に示す態様において、ヒートパイプ１７ｂは、例えば、板状ヒートシンク１７ａを厚み方向に切欠いて、埋め込むようにして、ハンダ付け等により配置してもよい。
【００２６】
ヒートパイプ１７ｂは、例えば、図４に示すように、照射方向（矢印Ｘ方向）に対し垂直方向に延びる第１の直線部と、照射方向に延びる第２の直線部を有し、前記第１の直線部と前記第２の直線部が結合して全体形状がＬ字状となっており、前記一端側が前記第１の直線部を含み、前記他端側が前記第２の直線部を含んでもよい。
【００２７】
本実施形態の滑走路埋込型閃光装置１からは、例えば、図１１に示すように、滑走路面と平行方向に対する角度αが３°程度の上向きの閃光が照射されることが好ましい。なお、図１１に示す滑走路埋込型閃光装置１内部における導光部材１２及びＬＥＤ閃光光源１３を例示すると、図１２のようになる。
【００２８】
キセノン閃光光源を用いた閃光装置の重量が、６５ｋｇ以下、具体的には４０ｋｇ程度であるのに対し、本実施形態の滑走路埋込型閃光装置１の重量は、例えば、１８ｋｇ以下、具体的には１１ｋｇ程度である。このように、本実施形態によれば、軽い滑走路埋込型閃光装置を提供可能である。
【００２９】
キセノン閃光光源を用いた閃光装置の寿命が、５００時間程度であるのに対し、本実施形態の滑走路埋込型閃光装置１は、例えば、無期限に利用可能である。このように、本実施形態によれば、長寿命な滑走路埋込型閃光装置を提供可能である。
【００３０】
キセノン閃光光源を用いた閃光装置の実効光度が、１０００ｃｄ以上、具体的には１２００ｃｄ程度であるのに対し、本実施形態の滑走路埋込型閃光装置１の実効光度は、例えば、６０００ｃｄ以上、具体的には７０００ｃｄ程度である。このように、本実施形態によれば、実効光度の高い滑走路埋込型閃光装置を提供可能である。
【００３１】
キセノン閃光光源を用いた閃光装置では、高光度・中光度・低光度等の光度の切替ができないのに対し、本実施形態の滑走路埋込型閃光装置１は、前述のように実効光度が高いため、例えば、高光度（例えば、６０００ｃｄ以上）、中光度（例えば、１０００ｃｄ以上）、低光度（例えば、２５０ｃｄ以上）等の光度の切替が可能である。このように、本実施形態によれば、光度の切替が可能な滑走路埋込型閃光装置を提供可能である。前記高光度は、例えば、霧、雨等で視界不良の昼間に、前記低光度は、例えば、夜間に、前記中光度は、例えば、夕方等に用いられる。
【００３２】
キセノン閃光光源を用いた閃光装置の消費電力が、５００Ｗ程度であるのに対し、本実施形態の滑走路埋込型閃光装置１の消費電力は、例えば、８０Ｗ（高光度時で最大１１４Ｗ、中光度時で３１Ｗ、低光度時で２４Ｗ）程度である。このように、本実施形態によれば、消費電力の小さい滑走路埋込型閃光装置を提供可能である。
【００３３】
［実施形態２］
図７は、本実施形態の滑走路埋込型閃光装置の一例の構成を示す分解斜視図であり、図８は、図７に示す滑走路埋込型閃光装置の下方向からの斜視図である。図７及び図８に示すように、本実施形態の滑走路埋込型閃光装置１は、さらに、底蓋部材１６を含むこと以外、実施形態１の滑走路埋込型閃光装置と同様である。
【００３４】
底蓋部材１６は、筒状本体１０の下部開口部を閉塞した状態で配置される。底蓋部材１６の材質としては、例えば、アルミニウム、チタン、アルミニウム合金、チタン合金又はそれらの鋳物等があげられる。
【００３５】
図９に、底蓋部材１６の一例の側面図を示す。例えば、図９に示すように、底蓋部材１６は、ケーブルグランド１６ａ及び外部アース端子１６ｂを含んでもよい。また、底蓋部材１６を、例えば、ネジ１６ｃ及びＯリング（図示省略）で筒状本体１０及びＬＥＤ閃光光源１３の少なくとも一方に取り付ければ、滑走路埋込型閃光装置１を防水構造にできる。
【００３６】
［実施形態３］
本発明によれば、実施形態１又は２の滑走路埋込型閃光装置１に用いられる熱伝導部材１７を提供できる。本発明の熱伝導部材１７は、板状ヒートシンク１７ａ及びヒートパイプ１７ｂの少なくとも一方を含んでもよい。本発明の熱伝導部材１７に関しては、実施形態１及び２の説明を援用できる。
【００３７】
［実施形態４］
図１０は、本実施形態の滑走路の一例の構成を示す模式斜視図である。図１０では、模式的に簡略化して示しているが、滑走路２は、実施形態１又は２の滑走路埋込型閃光装置１が、天井部材１１を露出した状態で埋め込まれたものである。
【００３８】
以上、実施形態を参照して本願発明を説明したが、本願発明は、上記実施形態に限定されるものではない。本願発明の構成や詳細には、本願発明のスコープ内で当業者が理解し得る様々な変更をすることができる。
【００３９】
上記の実施形態の一部又は全部は、以下の付記のようにも記載しうるが、以下には限られない。
（付記１）
筒状本体、天井部材、導光部材、ＬＥＤ閃光光源、及び、熱伝導部材を含み、
前記筒状本体は、滑走路に埋込可能であり、
前記天井部材は、前記筒状本体が滑走路に埋め込まれた場合に、滑走路面に露出可能な状態で前記筒状本体の上部開口部に、配置され、
前記天井部材には、閃光照射用窓が設けられ、
前記導光部材は、前記閃光照射用窓に配置され、
前記ＬＥＤ閃光光源は、前記閃光照射用窓に配置された前記導光部材に向けて閃光照射可能な状態で、前記筒状本体内に配置され、
前記導光部材により、前記ＬＥＤ閃光光源から照射された閃光が、前記閃光照射用窓から外部に向けて照射可能であり、
前記熱伝導部材は、前記筒状本体内に配置され、
前記熱伝導部材の一部分は、前記ＬＥＤ閃光光源と接触し、
前記熱伝導部材のその他部分の少なくとも一部が、前記天井部材に接触している
滑走路埋込型閃光装置。
（付記２）
前記熱伝導部材のその他部分の少なくとも一部が、前記天井部材において、前記閃光照射用窓よりも閃光照射側に接触している
付記１記載の滑走路埋込型閃光装置。
（付記３）
前記ＬＥＤ閃光光源は、基板、ＬＥＤ、及び、レンズ部材を含み、
前記基板上に前記ＬＥＤが配置され、
前記ＬＥＤの上部に前記レンズ部材が配置され、
前記レンズ部材は、前記ＬＥＤから照射される閃光の照射面を均一な照度分布にするレンズ部材であり、
前記熱伝導部材の一部分は、前記基板の前記ＬＥＤ搭載側と反対側の面に接触している
付記１又は２記載の滑走路埋込型閃光装置。
（付記４）
前記天井部材は、上段天井部及び下段天井部を含み、
前記上段天井部は、前記閃光照射用窓の照射方向より後方側に配置され、
前記下段天井部は、前記閃光照射用窓の照射方向側に配置されており、
前記熱伝導部材のその他部分の少なくとも一部が、前記下段天井部に接触している
付記１から３のいずれかに記載の滑走路埋込型閃光装置。
（付記５）
さらに、補強板部材を含み、
前記補強板部材は、前記下段天井部外面において、前記下段天井部外面の垂直方向に起立した状態で配置されている
付記４記載の滑走路埋込型閃光装置。
（付記６）
前記熱伝導部材は、板状ヒートシンク及びヒートパイプの少なくとも一方を含む
付記１から５のいずれかに記載の滑走路埋込型閃光装置。
（付記７）
前記熱伝導部材は、板状ヒートシンク及びヒートパイプを含み、
前記板状ヒートシンクの一面の一部分が、前記ＬＥＤ閃光光源と接触し、
前記板状ヒートシンクの一面のその他の部分の少なくとも一部が、前記下段天井部と接触し、
前記ヒートパイプは、その一端側が前記ＬＥＤ閃光光源側に位置し、かつ、その他端側が前記下段天井部側に位置する状態で、前記板状ヒートシンクに取付けられている
付記６記載の滑走路埋込型閃光装置。
（付記８）
前記ヒートパイプは、照射方向に対し垂直方向に延びる第１の直線部と、照射方向に延びる第２の直線部を有し、前記第１の直線部と前記第２の直線部が結合して全体形状がＬ字状になっており、前記一端側が前記第１の直線部を含み、前記他端側が前記第２の直線部を含む
付記７記載の滑走路埋込型閃光装置。
（付記９）
さらに、固定部材を含み、
前記固定部材は、前記天井部材の外周部に配置され、
前記固定部材には、前記滑走路に固定するためのネジを通すネジ穴が設けられている
付記１から８のいずれかに記載の滑走路埋込型閃光装置。
（付記１０）
前記天井部材及び前記固定部材は、一体成形品である
付記９記載の滑走路埋込型閃光装置。
（付記１１）
前記筒状本体及び前記天井部材は、一体成型品である
付記１から１０のいずれかに記載の滑走路埋込型閃光装置。
（付記１２）
前記閃光照射用窓は、２個以上であり、それぞれの前記閃光照射用窓に前記導光部材が配置されている
付記１から１１のいずれかに記載の滑走路埋込型閃光装置。
（付記１３）
さらに、底蓋部材を含み、
前記底蓋部材は、前記筒状本体の下部開口部を閉塞した状態で配置される
付記１から１２のいずれかに記載の滑走路埋込型閃光装置。
（付記１４）
前記底蓋部材は、ケーブルグランド及び外部アース端子を含む
付記１３記載の滑走路埋込型閃光装置。
（付記１５）
付記１から１４のいずれかに記載の滑走路埋込型閃光装置に用いられる熱伝導部材。
（付記１６）
板状ヒートシンク及びヒートパイプの少なくとも一方を含む
付記１５記載の熱伝導部材。
（付記１７）
付記１から１４のいずれかに記載の滑走路埋込型閃光装置が埋め込まれた滑走路。
【００４０】
この出願は、２０１８年１０月２６日に出願された日本出願特願２０１８−２０１４００を基礎とする優先権を主張し、その開示の全てをここに取り込む。
【産業上の利用可能性】
【００４１】
本発明によれば、軽く、長寿命で、実効光度が高く、光度の切替が可能で、消費電力が小さく、かつ、放熱性に優れた、新たな滑走路埋込型閃光装置を提供可能である。
【符号の説明】
【００４２】
１      滑走路埋込型閃光装置
２      滑走路
１０    筒状本体
１１    天井部材
１１ａ  上段天井部
１１ｂ  下段天井部
１２    導光部材
１３    ＬＥＤ閃光光源
１３ａ  基板
１３ｂ  ＬＥＤ
１３ｃ  レンズ部材
１４    補強板部材
１５    固定部材
１６    底蓋部材
１６ａ  ケーブルグランド
１６ｂ  外部アース端子
１６ｃ  ネジ
１７    熱伝導部材
１７ａ  板状ヒートシンク
１７ｂ  ヒートパイプ
【図１】
2020084880.tif 000003
【図２】
2020084880.tif 000004
【図３】
2020084880.tif 000005
【図４】
2020084880.tif 000006
【図５】
2020084880.tif 000007
【図６】
2020084880.tif 000008
【図７】
2020084880.tif 000009
【図８】
2020084880.tif 000010
【図９】
2020084880.tif 000011
【図１０】
2020084880.tif 000012
【図１１】
2020084880.tif 000013
【図１２】
2020084880.tif 000014
【国際調査報告】
2020084880.tif 000015
2020084880.tif 000016
2020084880.tif 000017
2020084880.tif 000018